(57)【要約】【課題】商品説明の表示部の面積が大きくてわかりやすく、錠剤が不用意にＰＴＰシートから押し出されることを防ぎ、安全に運搬と保管が可能で管理が容易なＰＴＰシート用包装体を提供する。【解決手段】第１側面１４、第２側面１６、覆い片１８が順次連接して、折罫線２２，２４で区切られている。第１側面１４と第２側面１６は、裏面どうしが重ねられ、第２側面１６と覆い片１８は表面どうしが重ねられ、Ｚ形に折り曲げられている。第１側面１４には、ＰＴＰシート４２の突出部４２ａが嵌合する第１透孔２６と、第１表示部２８を備える。第２側面１４は、第１透孔２６に対向する第２透孔３０を備え、覆い片１８は、第２表示部３６を有する。組立状態でＰＴＰシート４２が第１側面１４と第２側面１６の間に挟まれ、プラスチック成形体４４の突出部４４ａが第１側面２６に嵌合し、覆い片１８が第２透孔３０に露出したＰＴＰシート４２のシート４８を覆う。【選択図】図１
2014005055.tif 000002
【特許請求の範囲】
【請求項１】
商品を収容する突出部とこの突出部の周縁部に形成されたフランジ部が一体に成型されたプラスチック成形体を有し、前記突出部の中に商品を収容し、前記フランジ部の突出部と反対側の面に破断可能なシートが貼り付けられて商品を密閉するＰＴＰシートに取り付けられるＰＴＰ用包装体において、
一枚のブランクシートから一体的に打ち抜かれた包装材形成片から成り、前記包装材形成片は第１側面、第２側面、及び覆い片が順次連接して折罫線で区切られて設けられ、前記２本の折罫線は、前記第１側面と前記第２側面は裏面どうしが重ねられ、前記第２側面と前記覆い片は表面どうしが重ねられるようにＺ形に折り曲げられ、
前記第１側面には、ＰＴＰシートの突出部が嵌合されて表面に突出する第１透孔と、前記透孔以外の表面に任意の文字や絵柄が印刷された第１表示部が設けられ、
前記第２側面には、前記第２側面が前記第１側面に重ねられたときに前記第１透孔に対向する第２透孔と、前記第２側面の裏面に設けられ前記第１側面に糊づけされる糊が設けられ、
前記覆い片には任意の文字や絵柄が印刷された第２表示部が設けられ、
組立状態で、前記ＰＴＰシートは前記第１側面と前記第２側面の間に挟まれ前記ＰＴＰシートのプラスチック成形体の突出部が前記第１側面の前記第１透孔に嵌合され、前記プラスチック成形体の前記フランジ部が前記第１透孔の周囲に当接し、前記ＰＴＰシートの前記シートが前記第２側面の前記第２透孔に露出し前記覆い片の裏面に覆われていることを特徴とするＰＴＰ用包装体。
【請求項２】
前記第２側面と前記覆い片の一方には、糊殺し部が設けられ、前記第２側面と前記覆い片の他方には、前記覆い片が前記第２側面に重ねられたときに前記糊殺し部に着脱可能に接着される粘着剤が設けられている請求項１記載のＰＴＰ用包装体。
【請求項３】
前記覆い片には、前記第２側面と反対側の端部に形成され前記第２側面の側方に突出する突起が設けられている請求項１又は２記載のＰＴＰ用包装体。
【請求項４】
前記包装材形成片には、複数個の第１側面、第２側面、及び覆い片が連接方向に対して直角方向に並べられて設けられ、複数の第１側面どうし、第２側面どうし、覆い片どうしの境界線は切断可能な破断線で区切られている請求項１又は２記載のＰＴＰ用包装体。
【発明の詳細な説明】
【技術分野】
【０００１】
この発明は、プラスチック成形体に商品を入れて破断可能なシートで閉鎖したＰＴＰシートを包装するＰＴＰシート用包装体に関する。
【背景技術】
【０００２】
従来、商品を収容する突出部とこの突出部の周縁部に形成されたフランジ部が一体に成型されたプラスチック成形体を有し、錠剤等の商品を収容するものとしてＰＴＰシートがある。ＰＴＰシートは、フランジ部の突出部と反対側の面にアルミ製等の破断可能なシートが貼り付けられて突出部が閉鎖され、商品を密閉している。ＰＴＰシートは、錠剤が密閉されているためそのままの状態で箱等に入れて出荷されることが多いが、錠剤の情報や使用上の注意等を正確に伝達するために、錠剤の情報等が印刷された台紙にＰＴＰシートを取り付けるものがあった。
【０００３】
例えば、特許文献１に示すカード型包装体は、折罫線で区切られた表型と裏型とからなり、表型と裏型を折罫線で二つ折りして重ね、その間にＰＴＰシートを封止するものである。表型には、ＰＴＰシートの個々の円形凸部を嵌入する複数の楕円孔が一列に形成されている。そして、裏型には、ＰＴＰシートの個々の円形凸部に対向する位置に、この円形凸部の直径にほぼ等しい形の円形孔が同様に一列に形成されている。
【０００４】
特許文献２に示すＰＴＰシート用包装体は、ＰＴＰシートの突出部を嵌入させる孔部を備えた台紙と、前記孔部に対応する位置に、前記突出部から薬剤等を脱離させるための開口部を設けた粘着性シートが設けられ、前記台紙の裏側より前記孔部にＰＴＰシートの突出部を嵌入し、ＰＴＰシートの裏側より粘着性シートを、その開口部を前記孔部の位置に合わせて貼着するものである。これにより、ＰＴＰシートを封止するとともに、前記台紙および前記粘着性シートには内容物に関する情報を記載することができる。
【０００５】
特許文献３に示す使用説明書台紙付きプレススルーパック包装体は、あらかじめ折線等の加工を施したブランク板が設けられ、ブランク板の所定位置にＰＴＰシートが、貼り付けられ、ＰＴＰシートの突出部に対向する位置には、押し出された錠剤等が通過するカット線が設けられている。ブランク板のＰＴＰシート以外の部分は、折罫線で折り曲げられて、ＰＴＰシートを覆って保護している。
【０００６】
特許文献４に示すＰＴＰシートを収納するための台紙は、三つの領域を有するシートからなり、第２領域と第３領域は所定の服用日数に対応したマトリックス状に配置した開口部を有し、開口部に対応する服用時が表示されている。ＰＴＰシートは、第２領域と第３領域の、開口部にＰＴＰシートの錠剤などの収容部が露出されるように挟まれて収容される。さらに指示等の表示がある第１領域は折り曲げられＰＴＰシートの錠剤等の収容部分を保護するものである。
【先行技術文献】
【特許文献】
【０００７】
【特許文献１】特開平１０−５９４１５号公報
【特許文献２】特開２００７−３３０４０１号公報
【特許文献３】特開２００３−２２６３６０号公報
【特許文献４】特開２００１−７０４０４号公報
【発明の概要】
【発明が解決しようとする課題】
【０００８】
上記背景技術の特許文献１のカード型包装体は、表型と裏型を折罫線で二つ折りして接着されるため、開閉が不可能で説明が記載される表示部の面積が大きくないものである。さらに、ＰＴＰシートに収容された錠剤やカプセル等の商品は円形凸部を押したときに裏型の円形孔から脱落するが、円形孔を覆う部材がないため不用意に落下するおそれがある。特許文献２のＰＴＰシート用包装体は、粘着シートと台紙が別体であり、粘着シートの開口部をＰＴＰシートに一致させる位置決めが難しかった。また、特許文献１と同様に、表示部の面積が大きくないものであり、またＰＴＰシートに収容された商品を押し出すとき、商品が不用意に落下するおそれがある。特許文献３の使用説明書台紙付きプレススルーパック包装体は、商品を取り出すときにカット線を開いて取出さなければならず、商品が不用意に落下するおそれはないが、面倒で手間がかかるものであった。特許文献４のＰＴＰシートを収納するための台紙は、特許文献１と同様に、商品を押し出すと裏面の開口部から脱落するが、開口部を覆う部材がないため不用意に落下するおそれがある。
【０００９】
この発明は、上記背景技術の問題点に鑑みてなされたものであり、商品の説明が記載されている表示部の面積が大きくてわかりやすく、錠剤が不用意にＰＴＰシートから押し出されることを防ぎ、安全に運搬と保管が可能で管理が容易なＰＴＰシート用包装体を提供することを目的とする。
【課題を解決するための手段】
【００１０】
この発明は、商品を収容する突出部とこの突出部の周縁部に形成されたフランジ部が一体に成型されたプラスチック成形体を有し、前記突出部の中に錠剤等の商品を収容し、前記フランジ部の突出部と反対側の面にアルミ製等の破断可能なシートが貼り付けられて商品を密閉するＰＴＰシートに取り付けられるＰＴＰ用包装体であって、一枚のブランクシートから一体的に打ち抜かれた包装材形成片から成り、前記包装材形成片は第１側面、第２側面、及び覆い片が順次連接して折罫線で区切られて設けられ、前記２本の折罫線は、前記第１側面と前記第２側面は裏面どうしが重ねられ、前記第２側面と前記覆い片は表面どうしが重ねられるようにＺ形に折り曲げられ、前記第１側面には、ＰＴＰシートの突出部が嵌合されて表面に突出する第１透孔と、前記透孔以外の表面に任意の文字や絵柄が印刷された第１表示部が設けられ、前記第２側面には、前記第２側面が前記第１側面に重ねられたときに前記第１透孔に対向する第２透孔と、前記第２側面の裏面に設けられ前記第１側面に糊づけされる糊が設けられ、前記覆い片には任意の文字や絵柄が印刷された第２表示部が設けられ、組立状態では、前記ＰＴＰシートは前記第１側面と前記第２側面の間に挟まれ前記ＰＴＰシートのプラスチック成形体の突出部が前記第１側面の前記第１透孔に嵌合され、前記プラスチック成形体の前記フランジ部が前記第１透孔の周囲に当接し、前記ＰＴＰシートの前記シートが前記第２側面の前記第２透孔に露出し、前記覆い片の裏面に覆われているＰＴＰ用包装体である。
【００１１】
前記第２側面と前記覆い片の一方には、糊殺し部が設けられ、前記第２側面と前記覆い片の他方には、前記覆い片が前記第２側面に重ねられたときに前記糊殺し部に着脱可能に接着される粘着剤が設けられている。
【００１２】
前記覆い片には、前記第２側面と反対側の端部に形成され前記第２側面の側方に突出する突起が設けられている。
【００１３】
前記包装材形成片には、複数個の第１側面、第２側面、及び覆い片が連接方向に対して直角方向に並べられて設けられ、複数の第１側面どうし、第２側面どうし、覆い片どうしの境界線は切断可能な破断線で区切られている。
【００１４】
前記覆い片の前記第２表示部は、前記覆い片の表面または裏面のどちらに設けてもよい。
【発明の効果】
【００１５】
この発明のＰＴＰ用包装体によれば、簡単な工程できれいに包装することができる。広い表示部が設けられ、商品に関する情報や使用方法等を印刷することができ、正確に確実に伝達することができる。表示部に、商品である薬剤のを飲む日にちや飲む量を印刷して、飲み間違いを防ぐことができる。商品が小さい錠剤やカプセル等でも、取出すときに落下することを確実に防ぐことができ、安全である。
【図面の簡単な説明】
【００１６】
【図１】この発明の一実施形態のＰＴＰ用包装体の斜視図である。
【図２】この実施形態のＰＴＰ用包装体の正面図である。
【図３】図２のＡ―Ａ線縦断面図である。
【図４】この実施形態のＰＴＰ用包装体の組立工程を示す縦断面図である。
【図５】この実施形態のＰＴＰ用包装体の展開図である。
【発明を実施するための形態】
【００１７】
以下、この発明の実施形態について図面に基づいて説明する。図１〜図５はこの発明の一実施形態を示すもので、この実施形態のＰＴＰ用包装体１０は、後述するＰＴＰシート４２に入れられた商品である錠剤４６を包装するものであり、紙製等の一枚のブランクシートを打ち抜いて形成された包装材形成片１２を組み立てて設けられている。
【００１８】
図５は包装材形成片１２を表面から見た展開図であり、包装材形成片１２は、第１側面１４と第２側面１６が互いに連接して設けられ、ほぼ同じ大きさの矩形に形成されている。第２側面１６の側縁部には、第１側面１４、第２側面１６とほぼ同じ大きさの覆い片１８が連接して設けられている。第１側面１４、第２側面１６、覆い片１８は、連接方向の横方向と並列に各２個並べられて設けられ、包装材形成片１２は６部材に区切られて設けられている。第１側面１４どうし、第２側面１６どうし、覆い片１８どうしの境界線は切断可能な破断線２０で区切られている。第１側面１４と第２側面１６の境界は折罫線２２で区切られ、第２側面１６と覆い片１８の境界は折罫線２４で区切られている。
【００１９】
第１側面１４のほぼ中心には、後述するＰＴＰシート４２のプラスチック成形体４４の突出部４４ａが入れられる第１透孔２６が設けられている。第１側面１４の、第１透孔２６以外の表面は第１表示部２８となり、錠剤４６の商品名や服用する日にちや、一回に服用する数等の説明が印刷されている。
【００２０】
第２側面１６には、第２側面１６が折罫線２２で第１側面１４の裏面に重ねられたときに第１透孔２６に対向する位置に、第２透孔３０が設けられている。第２透孔３０は、後述するＰＴＰシート４２の突出部４４ａに入れられた錠剤４６が押し出されて取出されるものであり、錠剤４６が取出しやすいように第１透孔２６よりも少し大きく形成されている。第２側面１６の表面の、第１側面１４に近い位置には、後述する粘着剤４０が着脱可能な糊殺し部３２が設けられている。第２側面１６の裏面には、第２透孔３０の両脇に糊３４が、後述する組立工程の際に設けられる。糊３４は第１側面１４の裏面に接着されるものであり、例えば全面に又は折罫線２２に対して互いに平行に長細く塗布して形成される。糊３４は、両面テープ等の剥離紙が取り付けられたもので形成し、組立工程で剥離紙を剥がして接着性を得るものでもよい。
【００２１】
覆い片１８の表面は第２表示部３６となり、錠剤４６についての説明が印刷されている。覆い片１８の折罫線２４と反対の端部には、覆い片１８の外側へ突出する台形状の突起３８が設けられ、突起３８の表面にも商品名等が印刷されている。覆い片１８の表面には、折罫線２４で第２側面１６の表面に重ねられたときに糊殺し部３２に対向する位置に、粘着剤４０が後述する組立工程の際に設けられる。粘着剤４０は、両面テープ等の剥離紙が取り付けられたもので形成し、組立工程で剥離紙を剥がして接着性を得るものでもよい。
【００２２】
次に、ＰＴＰ用包装体１０を取り付けるＰＴＰシート４２について説明する。ＰＴＰシート４２は、プラスチック成形体４４が設けられ、プラスチック成形体４４には、錠剤４６を収容する突出部４４ａと、突出部４４ａの周縁部のフランジ部４４ｂが設けられている。ここでは、１個のＰＴＰシート４２に１個の突出部４４ａが設けられている。プラスチック成形体４４のフランジ部４４ｂには、突出部４４ａの突出方向と反対の面に薄いアルミ製のシート４８が貼り付けられ、突出部４４ａに錠剤４６が封止されている。
【００２３】
次にＰＴＰ用包装体１０の組立方法について説明する。ここでは、図５がこのＰＴＰ用包装体１０の包装材形成片１２の表面を見たものであり、包装材形成片１２の表面が凸になる折り方を正折り、そして裏面が凸になる折り方を逆折りと称する。
【００２４】
まず、第２側面１６の裏面に一対の糊３４を塗布し図４に示すように、第１側面１４の第１透孔２６にＰＴＰシート４２のプラスチック成形体４４の突出部４４ａを第１側面１４の裏面から入れてセットし、折罫線２２を正折りして第２側面１６の裏面を糊３４で第１側面１４の裏面に糊づけする。これにより、ＰＴＰシート４２のプラスチック成形体４４のフランジ部４４ｂが、第１側面１４と第２側面１６に挟まれて係止される。ＰＴＰシート４２のプラスチック成形体４４の突出部４４ａは、第２側面１６の第２透孔３０に一致し、第２透孔３０からＰＴＰシート４２のアルミ製のシート４８が露出する。次に、覆い片１８の所定位置に粘着剤４０を設け、折罫線２４を逆折りし、覆い片１８の表面を第２側面１６の表面に重ね、図４に示すように包装材形成片１２をＺ形に折り重ねて、図２、図３に示すようにＰＴＰ用包装体１０が完成する。このとき覆い片１８の粘着剤４０は、第２側面１６の糊殺し部３２に着脱可能に接着される。覆い片１８の突起３８は、第１側面１４、第２側面１６よりも側方に突出し、覆い片１８を開くときの摘み部となる。
【００２５】
ＰＴＰ用包装体１０の第２表示部３６を読む場合は、突起３８を摘んで覆い片１８の粘着剤４０をはがして第２側面１６から開く。読み終わったら、再び覆い片１８を閉じて粘着剤４０を糊殺し部３２に接着して閉じる。
【００２６】
ＰＴＰ用包装体１０から錠剤４６を取り出すときは、図１に示すように覆い片１８を少し開き、第２側面１６の表面を露出し、第１側面１４の第１透孔２６から突出するＰＴＰシート４２の突出部４４ａを押す。すると、錠剤４６がシート４８に押しつけられてシート４８が破断し、錠剤４６が第２側面１６の第２透孔３０から取出される。第２側面１６は覆い片１８で覆われているため、錠剤４６が勢いよく飛び出しても落下するおそれがない。錠剤４６を取出した第１側面１４は、破断線２０から切り離して破棄してもよい。錠剤４６の取出しの前にあらかじめ破断線２０を切断して１個ずつに分割して保管してもよい。
【００２７】
この実施形態のＰＴＰ用包装体１０によれば、簡単な方法でＰＴＰシート４２を手作業又は自動機により包装することができる。粘着剤４０は糊殺し部３２に着脱可能に接着されるため、覆い片１８の第２表示部３６を繰り返し読んで再度閉じることができる。包装材形成片１２はＺ形に折り曲げられ、錠剤４６が取り出される第２側面１６表面は覆い片１８が重ねられているため、ＰＴＰシート４２の突出部４４ａを強く押しすぎても錠剤４６が落下することがなく、安全である。第１側面１４の第１表示部２８には、錠剤４６をのむ日にちや一回に飲む数を記入することができ、飲み忘れや飲み過ぎ等の間違いを防ぐことができる。第１表示部２８と第２表示部３６は面積が広いため、錠剤４６の効果や使用方法を多く印刷することができ、消費者に正確に情報を伝達することができ、商品内容をアピールすることができる。
【００２８】
さらに、包装材形成片１２の糊３４と粘着剤４０を両面テープや市販の接着剤で形成した場合、手軽に接着することができ、ヒートシール等の設備が不要で、少量のＰＴＰシート４２に対していろいろな場所で簡単に手作業により包装することができる。ヒートシール等の熱が不要であり錠剤４６の品質に影響を与えることがない。ＰＴＰ用包装体１０は、包装材形成片１２を展開した状態で重ねてコンパクトにして出荷することができ、ＰＴＰシート４２を製造する工場や医療施設等で必要に応じて包装することもでき、好都合である。
【００２９】
この発明のＰＴＰ用包装体は、上記実施形態に限定されず、透孔の数や形状はＰＴＰシートに合わせて変更可能であり、１個の第１側面と第２側面に複数個の第１透孔と第２透孔を設けて、複数個の錠剤を保持するものでもよい。収容する商品は錠剤以外に、カプセル等の医薬品、雑貨、化粧品等いろいろなものに使用することができる。第１表示部と第２表示部以外に、第２側面の裏面や覆い片の裏面にも文字や絵柄を印刷して表示部としてもよい。
【符号の説明】
【００３０】
１０  ＰＴＰ用包装体
１２  包装材形成片
１４  第１側面
１６  第２側面
１８  覆い片
２０  破断線
２２，２４  折罫線
２６  第１透孔
２８  第１表示部
３０  第２透孔
３２  糊殺し部
３４  糊
３６  第２表示部
３８  突起
４０  粘着剤
４２  ＰＴＰシート
４４  プラスチック成形体
４４ａ  突出部
４４ｂ  フランジ部
４８  シート
【図１】
2014005055.tif 000003
【図２】
2014005055.tif 000004
【図３】
2014005055.tif 000005
【図４】
2014005055.tif 000006
【図５】
2014005055.tif 000007